(57)【特許請求の範囲】
【請求項１】
設置面に固定された背板に、少なくとも前後両側に開口する本体を、その後側の開口を前記背板で閉塞するように組み付けてなり、内部に各種機器を収納可能とした機器収納用ラックであって、
前記背板の全面にわたり、孔が、上下方向に複数列、左右方向に複数行並べて穿設されており、
前記機器と接続するために前記機器収納用ラック内へ引き込んだケーブルに、結束バンドを前記孔に挿通させつつ巻き付けることにより、前記ケーブルを束ねた状態で前記背板に仮止め可能としたことを特徴とする機器収納用ラック。
【請求項２】
前記背板の外周縁部が、後側へ折り曲げられており、
前記背板を前記設置面に固定した際、前記孔の後側に空間が形成されることを特徴とする請求項１に記載の機器収納用ラック。
【請求項３】
孔が上下方向に複数列、左右方向に複数行並べて全面にわたり穿設された背板に、少なくとも前後両側に開口する本体を、その後側の開口を前記背板で閉塞するように組み付けてなり、内部に各種機器が収納される機器収納用ラックを設置するための設置方法であって、
前記背板を設置面に固定する第１工程と、
前記背板の前面側に前記機器に接続するケーブルを引き込む第２工程と、
結束バンドを、前記孔に挿通させつつ前記ケーブルに巻き付けることにより、前記ケーブルを束ねた状態で前記背板に仮止めする第３工程と、
前記背板に前記本体を組み付けて前記機器収納用ラックを構成する第４工程と、
前記ケーブルと前記機器とを接続した後、前記機器を前記機器収納用ラック内に固定する第５工程と
を実行することを特徴とする機器収納用ラックの設置方法。
【発明の詳細な説明】
【技術分野】
【０００１】
本発明は、たとえばラックマウントタイプの電気機器等を収納可能な機器収納用ラック、及び機器収納用ラックの設置方法に関するものである。
【背景技術】
【０００２】
近年、ラックマウントタイプの電気機器や通信機器を収納する機器収納用ラックは、住宅の壁面内に埋設されることがある。そして、そのような埋設タイプの機器収納用ラックは、たとえば特許文献１に記載されているように、一方向の長さに比べて直交する他方向の長さが短い所謂薄型に成形されることが多い。
【先行技術文献】
【特許文献】
【０００３】
【特許文献１】特開２０１２−６９５８８号公報
【発明の概要】
【発明が解決しようとする課題】
【０００４】
機器収納用ラック内に各種機器を収納するにあたっては、各機器に接続するケーブルを機器収納用ラック内に予め引き込んでおき、各機器と対応するケーブルとを接続した後、固定具等を利用して各機器を機器収納用ラック内に固定することになる。しかしながら、上述したような薄型の機器収納用ラックであると、ラック内のスペースが狭いため、ケーブルの接続や機器の固定に際して、予め引き込んである他の機器のためのケーブルが邪魔になり、ケーブルの接続作業や機器の固定作業が煩わしくなるという問題が生じる。
【０００５】
そこで、本発明は、上記問題に鑑みなされたものであって、薄型に成形したとしてもケーブルの接続や機器の固定を容易に行うことができる機器収納用ラック、及び機器収納用ラックの設置方法を提供しようとするものである。
【課題を解決するための手段】
【０００６】
上記目的を達成するために、本発明のうち請求項１に記載の発明は、設置面に固定された背板に、少なくとも前後両側に開口する本体を、その後側の開口を前記背板で閉塞するように組み付けてなり、内部に各種機器を収納可能とした機器収納用ラックであって、前記背板の全面にわたり、孔が、上下方向に複数列、左右方向に複数行並べて穿設されており、前記機器と接続するために前記機器収納用ラック内へ引き込んだケーブルに、結束バンドを前記孔に挿通させつつ巻き付けることにより、前記ケーブルを束ねた状態で前記背板に仮止め可能としたことを特徴とする。
請求項２に記載の発明は、請求項１に記載の発明において、前記背板の外周縁が、後側へ折り曲げられており、前記背板を前記設置面に固定した際、前記孔の後側に空間が形成されることを特徴とする。
また、上記目的を達成するために、本発明のうち請求項３に記載の発明は、孔が上下方向に複数列、左右方向に複数行並べて全面にわたり穿設された背板に、少なくとも前後両側に開口する本体を、その後側の開口を前記背板で閉塞するように組み付けてなり、内部に各種機器が収納される機器収納用ラックを設置するための設置方法であって、前記背板を設置面に固定する第１工程と、前記背板の前面側に前記機器に接続するケーブルを引き込む第２工程と、結束バンドを、前記孔に挿通させつつ前記ケーブルに巻き付けることにより、前記ケーブルを束ねた状態で前記背板に仮止めする第３工程と、前記背板に前記本体を組み付けて前記機器収納用ラックを構成する第４工程と、前記ケーブルと前記機器とを接続した後、前記機器を前記機器収納用ラック内に固定する第５工程とを実行することを特徴とする。
【発明の効果】
【０００７】
本発明によれば、背板の全面にわたり、孔を、上下方向に複数列、左右方向に複数行並べて穿設しており、機器収納用ラック内へ引き込んだケーブルを、結束バンドを用いて背板に仮止めすることができる。したがって、たとえ薄型に成形されていたとしても、他の機器に接続するケーブルが邪魔とならず、機器とケーブルとの接続作業やケーブルが接続された状態にある機器の固定作業を容易に行うことができる。
また、請求項２に記載の発明によれば、背板の外周縁が、後側へ折り曲げられており、背板を設置面に固定した際、孔の後側に空間が形成されるようになっているため、作業者は、結束バンドによるケーブルの仮止めを非常に容易に行うことができる。
【図面の簡単な説明】
【０００８】
【図１】機器収納用ラックを前側から示した斜視説明図である。
【図２】本体と背板とを分解した状態にある機器収納用ラックを前側から示した斜視説明図である。
【図３】本体と背板とを分解した状態にある機器収納用ラックを後側から示した斜視説明図である。
【図４】引き込まれたケーブルが仮止めされた状態にある機器収納用ラックを示した斜視説明図である。
【図５】背板の変形例を示した説明図である。
【発明を実施するための形態】
【０００９】
以下、本発明の一実施形態となる機器収納用ラック、及び機器収納用ラックの設置方法について、図面にもとづき詳細に説明する。
【００１０】
図１は、機器収納用ラック１を前側から示した斜視説明図である。図２は、本体２と背板３とを分解した状態にある機器収納用ラック１を前側から示した斜視説明図である。図３は、本体２と背板３とを分解した状態にある機器収納用ラック１を後側から示した斜視説明図である。図４は、引き込まれたケーブルＫ、Ｋ・・が仮止めされた状態にある機器収納用ラック１を示した斜視説明図である。
【００１１】
機器収納用ラック１は、前後両側に開口する本体２と、本体２の後側の開口を覆うように組み付けられる背板３とを有する。本体２は、天板４、底板５、及び左右両側板６、６を正面視が四角形枠状となるように連結してなり、各側板６の内面側には、機器（図示せず）を固定するためのマウントアングル７等が設置されている。また、天板４及び底板５の前後幅は、両側板６、６の前後方向の長さよりも短くなっており、本体２と背板３とを組み付けた際、天板４と背板３との間、及び底板５と背板３との間にケーブルＫ、Ｋ・・を引き込むための引き込み口８が夫々形成されるようになっている。さらに、各側板６の後端面には、背板３に本体２を組み付けるための連結孔９、９・・が穿設されている。なお、本体２の前端縁には、図示しない前扉が上下方向を軸として片開き自在に蝶着可能となっている。
【００１２】
ここで、本発明の要部となる背板３について説明する。
背板３は、上下方向へ長い金属板の外周縁（上下左右側縁）を後側へ折り曲げて形成されるものであって、その表面は、多数の角孔１１、１１・・が略全面にわたり穿設された格子状に成形されている。そして、当該格子状部は、図４に示す如く、機器収納用ラック１内へ引き込まれたケーブルＫ、Ｋ・・を結束バンド３０で束ねて仮止めするためのケーブル仮止め部として機能するようになっている。また、背板３の左右両側縁は、後側へ折り曲げられた後、更に左右外側へ折り返されており、当該折り返し部は、背板３を設置面に固定するための固定孔１３、１３・・を備えた設置代１２として機能する。
【００１３】
上記本体２と背板３とを有する機器収納用ラック１は、以下のようにして設置面に取り付けられ、各種機器が収納されて設置される。
まず、背板３を設置面に固定する。次に、背板３の上方や下方からケーブルＫ、Ｋ・・を背板３の前面側に引き込み、たとえば接続する機器毎等に分別する。そして、角孔１１、１１・・を挿通させる等してケーブルＫ、Ｋ・・の先端部近傍に結束バンド３０を巻き付け、ケーブルＫ、Ｋ・・を束ねた状態でケーブル仮止め部に仮止めする。このとき、背板３の外周縁が後側へ折り曲げられていることにより、ケーブル仮止め部の後面が設置面から浮いた状態となっている（すなわち、角孔１１、１１・・の後側に空間が形成されている）ため、作業者は、結束バンド３０を用いた仮止め作業を非常に容易に行うことができる。
【００１４】
さらに、ケーブルＫ、Ｋ・・の仮止め後、本体２を背板３に組み付けて機器収納用ラック１を形成する。このとき、ケーブルＫ、Ｋ・・を、本体２と背板３との間に形成される引き込み口８、８内に位置させ、当該引き込み口８、８を介して背板３の前面側（すなわち、機器収納用ラック１内）へ引き込まれた状態とする。最後に、各機器に対応するケーブルＫ、Ｋを接続した後、マウントアングル７、７へ固定する等して各機器を機器収納用ラック１内に収納する。このとき、他の機器に接続するケーブルＫ、Ｋ・・は背板３に仮止めされているため、機器とケーブルＫ、Ｋ・・との接続やケーブルＫ、Ｋが接続された機器の固定に際し、邪魔とならない。なお、各引き込み口８に関しては、パッキン（図示せず）を貼り付ける等して閉塞してもよい。
【００１５】
以上のような構成を有する機器収納用ラック１によれば、背板３に複数の角孔１１、１１・・を穿設しており、機器に接続させるべく背板３の前面側に引き込まれたケーブルＫ、Ｋ・・に対し、角孔１１、１１・・を挿通させる等して結束バンド３０を巻き付けることにより、ケーブルＫ、Ｋ・・を束ねた状態でケーブル仮止め部に仮止め可能としている。したがって、たとえ機器収納用ラック１が奥行きのない薄型に成形されていたとしても、他の機器に接続するためのケーブルＫ、Ｋ・・が邪魔とならず、ケーブルＫ、Ｋ・・の接続作業やケーブルＫ、Ｋ・・が接続された状態にある機器の固定作業を容易に行うことができる。
また、背板３の外周縁が、後側へ折り曲げられており、背板３を設置面に固定した際、角孔１１、１１・・の後側に空間が形成されるようにしているため、作業者は、結束バンド３０によるケーブルＫ、Ｋ・・の仮止めを非常に容易に行うことができる。
【００１６】
さらに、機器収納用ラック１を設置するにあたっては、まず背板３を設置面に固定し、当該背板３の前面側にケーブルＫ、Ｋ・・を引き込み、結束バンド３０を、角孔１１、１１・・に挿通させつつケーブルＫ、Ｋ・・に巻き付けることにより、ケーブルＫ、Ｋ・・を束ねた状態で背板３に仮止めした後、背板３に本体２を組み付けて機器収納用ラック１を構成し、ケーブルＫ、Ｋ・・と機器とを接続してから機器を機器収納用ラック１内に固定する。したがって、作業者は、ケーブルＫ、Ｋ・・の接続作業やケーブルＫ、Ｋ・・が接続された状態にある機器の固定作業を容易に行うことができる。
【００１７】
なお、本発明に係る機器収納用ラック及び機器収納用ラックの設置方法は、上記実施形態の態様に何ら限定されるものではなく、ラックの全体的な構成は勿論、背板に係る構成等についても、本発明の趣旨を逸脱しない範囲で、必要に応じて適宜変更することができる。
【００１８】
たとえば、上記実施形態の如く角孔１１、１１・・が穿設された背板４に代えて、図５に示すような孔４１、４１・・が穿設された背板４４を採用してもよい。この孔４１は、孔４１内へ突出する掛止部４２を備えてなるもので、当該孔４１を採用したとしても、作業者は、ケーブルＫ、Ｋ・・の接続作業やケーブルＫ、Ｋ・・が接続された状態にある機器の固定作業を容易に行うことができる。その上、複数の孔を利用することなく、１つの孔４１のみでケーブルＫ、Ｋ・・の仮止めを行うことができるため、背板４４に穿設する孔４１、４１・・の数を、上記実施形態の数よりも少なくすることも可能であり、背板４４の強度向上を図ることもできる。なお、孔の形状や配置、数等については適宜変更可能であって、たとえば背板の上半部には比較的に多くの孔を設ける一方、背板の下半部では孔の数を少なくする等してもよい。
また、上記実施形態では、背板の外周縁を後側へ折り曲げているが、背板と設置面との間にスペーサを別途介在させる等してもよい。
さらに、本体に関し、左右両側面にも開口させ、扉体を取り付けて左右両側面を開閉可能に構成することも可能である。
加えて、上記実施形態では、機器収納用ラックを薄型に成形しているが、従来同様、奥行きのある機器収納用ラックであっても本発明を適用することで、配線作業や固定作業の容易化を図ることができる。
【符号の説明】
【００１９】
１・・機器収納用ラック、２・・本体、３、４４・・背板、４・・天板、５・・底板、６・・側板、８・・引き込み口、１１・・角孔、３０・・結束バンド、４１・・孔、４２・・掛止部、Ｋ・・ケーブル。
【図１】
0006539472.tif 000002
【図２】
0006539472.tif 000003
【図３】
0006539472.tif 000004
【図４】
0006539472.tif 000005
【図５】
0006539472.tif 000006